(57)【特許請求の範囲】
【請求項１】
携帯型情報端末と接続されたとき、携帯型情報端末を遠隔操作可能な電子装置であって、
携帯型情報端末からアイコンの画像に関するアイコン画像データを取得する取得手段と、
取得したアイコン画像データを透過処理することができるか否かを判定する判定手段と、
取得したアイコン画像データをディスプレイに表示するアイコン表示手段とを有し、
前記アイコン表示手段は、アイコン画像データを透過処理することができないと判定された場合には、台座の縁取りが形成されるように台座とアイコン画像データを合成して表示し、アイコン画像データを透過処理することができると判定された場合には、アイコン画像データを透過処理して表示する、電子装置。
【請求項２】
前記判定手段は、アイコン画像データのファイル形式に基づき透過処理が可能か否かを判定する、請求項１に記載の電子装置。
【請求項３】
前記アイコン表示手段はさらに、アイコン画像データを透過処理することができないと判定された場合には、台座の画像データを生成する台座生成手段を含み、当該台座生成手段は、電子装置側のアイコンの表示サイズに対応する表示サイズの台座を生成する、請求項１または２に記載の電子装置。
【請求項４】
前記台座生成手段は、アイコン画像データが表示される画面の背景色とコントラストのある色の台座を生成する、請求項３に記載の電子装置。
【請求項５】
前記台座生成手段は、アイコン画像データのデザインに関係しない背景部分の色とコントラストのある色の台座を生成する、請求項３または４に記載の電子装置。
【請求項６】
前記アイコン表示手段はさらに、台座の表示サイズとアイコン画像データとの表示サイズを比較し、当該比較結果に基づきアイコン画像データの表示サイズを調整する調整手段を含む、請求項１ないし５いずれか１つに記載の電子装置。
【請求項７】
請求項１ないし７いずれか１つに記載の電子装置と、
前記電子装置に接続された携帯型情報端末とを有し、
携帯型情報端末は、前記電子装置が接続されたとき、携帯型情報端末のディスプレイに表示されるアイコンのアイコン画像データを前記電子装置に転送する、電子システム。
【発明の詳細な説明】
【技術分野】
【０００１】
本発明は、携帯型情報端末を遠隔操作可能な電子装置に関し、特に、携帯型情報端末から取得したアイコンの表示に関する。
【背景技術】
【０００２】
近年、スマートフォンなどに代表される多機能型のポータブル装置の利用が増加している。このようなポータブル装置が車内に持ち込まれたとき、ポータブル装置を、車両に搭載された電子機器（以下、車載器という）に接続し、車載器においてポータブル装置に搭載された機能を利用することが可能になっている。ポータブル装置が車載器に接続されると、ポータブル装置の画面に表示されたアイコンの画像データが車載器に転送され、車載器にも同様のアイコンが表示される。ユーザは、車載器の画面に表示されたアイコンをタッチ操作等することで、ポータブル装置のアプリケーションを起動することができる。
【０００３】
ポータブル装置や携帯電話のように表示画面が小さい場合に、効率良く多くののファイル情報を提示するため、グループ毎にアイコンの表示形態や動作形態の設定する技術が特許文献１に開示されている。
【先行技術文献】
【特許文献】
【０００４】
【特許文献１】特開２００３−２７１４３２号公報
【発明の概要】
【発明が解決しようとする課題】
【０００５】
しかしながら、従来のアイコンの表示方法には次のような課題がある。ポータブル装置が車載器に接続されたとき、車載器は、ポータブル装置から取得したアイコンを画面に表示する。このとき、車載器は、自身が保持するアプリケーション等に関するアイコンとのデザイン上の統一感を持たせるため、ポータブル装置から取得したアイコンの透過処理を行う。具体的には、図２（Ａ）に示すように、矩形状のアイコン１０がデザインに関する部分１２（図では、Ｖｃ）とデザインに関係しない背景部分１４とを含んでいるとき、デザインに関係ない背景部分１４を透過表示、つまり表示画面の背景色にする。このような透過処理は、アイコンの画像データが色指定することができる画像ファイル、例えば、ＰＮＧ形式であれば行うことができる。
【０００６】
一方、アイコンの透過処理をすることができないファイル、例えば、ビットマップ形式やＪＰＥＧ形式の場合には、図２（Ｂ）に示すように、アイコン１０の背景部分１４を透過処理することができないので、その背景部分１４は色味をもった形で画面に表示されてしまう。
【０００７】
図１（Ａ）は、図２（Ａ）のように透過処理されたアイコンの表示例を示している。車載器の表示画面２０には、それ自身が保有するアイコン２２、２４、２６、２８、３０、３２が表示され、さらにポータブル装置から取得したアイコン１０が透過処理されて表示される。アイコン１０は、透過処理されているため、他のアイコン２２〜３２との統一感が損なわれることはない。図１（Ｂ）は、図２（Ｂ）のように透過処理されていないアイコンの表示例を示している。アイコン１０は、背景部分１４が一般には黒塗りで表示されることが多く、他のアイコン２２〜３２との統一感がなく、かなり見栄えの悪いアイコン表示となってしまう。また、このようなアイコンを表示すると、ユーザにとっては、車載器の表示に不具合が発生したかの如く誤解を与えてしまう
【０００８】
本発明は、上記のような従来の課題を解決するものであり、携帯型情報端末から取得したアイコンを違和感がなく見栄えを良くして表示することができる電子装置を提供することを目的とする。
【課題を解決するための手段】
【０００９】
本発明に係る電子装置は、携帯型情報端末と接続されたとき、携帯型情報端末を遠隔操作可能であって、携帯型情報端末からアイコンの画像に関するアイコン画像データを取得する取得手段と、取得したアイコン画像データを透過処理することができるか否かを判定する判定手段と、取得したアイコン画像データをディスプレイに表示するアイコン表示手段とを有し、前記アイコン表示手段は、アイコン画像データを透過処理することができないと判定された場合には、台座の縁取りが形成されるように台座とアイコン画像データを合成して表示し、アイコン画像データを透過処理することができると判定された場合には、アイコン画像データを透過処理して表示する。
【００１０】
好ましくは前記判定手段は、アイコン画像データのファイル形式に基づき透過処理が可能か否かを判定する。好ましくは前記アイコン表示手段はさらに、アイコン画像データを透過処理することができないと判定された場合には、台座の画像データを生成する台座生成手段を含み、当該台座生成手段は、電子装置側のアイコンの表示サイズに対応する表示サイズの台座を生成する。好ましくは前記台座生成手段は、アイコン画像データが表示される画面の背景色とコントラストのある色の台座を生成する。好ましくは前記台座生成手段は、アイコン画像データのデザインに関係しない背景部分の色とコントラストのある色の台座を生成する。好ましくは前記アイコン表示手段はさらに、台座の表示サイズとアイコン画像データとの表示サイズを比較し、当該比較結果に基づきアイコン画像データの表示サイズを調整する調整手段を含む。
【００１１】
本発明に係る電子システムは、上記特徴を備えた電子装置と、前記電子装置に接続された携帯型情報端末とを有し、携帯型情報端末は、前記電子装置が接続されたとき、携帯型情報端末のディスプレイに表示されるアイコンのアイコン画像データを前記電子装置に転送する。
【発明の効果】
【００１２】
本発明によれば、携帯型情報端末から取得したアイコンの画像データを透過処理することができない場合には、アイコンの周囲に縁取りができるようにアイコンを台座を介して表示するようにしたので、アイコンの見栄え、デザイン性が向上され、さらに電子装置が保有するアイコンとの違和感を軽減することができる。
【図面の簡単な説明】
【００１３】
【図１】従来の外部から取得したアイコンの表示例であり、図１（Ａ）は透過処理されたアイコンの表示例、図１（Ｂ）は透過処理されないアイコンの表示例である。
【図２】図２（Ａ）は、透過処理されたアイコンの例を示し、図２（Ｂ）は、透過処理されていないアイコンの例を示す図である。
【図３】本発明の実施例に係る電子システムの構成を示す図である。
【図４】図３に示す電子装置の典型的な構成を示すブロック図である。
【図５】本発明の実施例に係るアイコン表示プログラムの機能ブロック図である。
【図６】本発明の実施例の電子システムにおいてターミナルモードへの移行を説明するフローチャートである。
【図７】本発明の実施例に係るアイコンの表示動作を示すフローチャートである。
【図８】本発明の実施例に係る台座の例を示す図である。
【図９】本発明の実施例に係るアイコンの表示例である。
【発明を実施するための形態】
【００１４】
次に、本発明の実施の形態について図面を参照して説明する。本発明の好ましい実施の形態は、移動体としての自動車に搭載された電子装置に携帯型情報端末（以下、情報端末という）が接続された電子システムを例示する。情報端末は、好ましくは、情報を処理することができるポータブルな装置であり、通信機能を備えた多機能型の端末であることができ、例えば、携帯電話機、スマートフォン、パームトップ型パーソナルコンピュータ、ラップトップ型コンピュータ、ノート型コンピュータなどである。情報端末は、外部ネットワーク接続したり、音声通話をしたり、音声データや画像データを記憶したり、搭載したアプリケーションにより種々の機能を実行することができる。
【００１５】
一方、車両に搭載された電子装置は、オーディオ／ビデオ再生機能、テレビ／ラジオ放送受信機能、ナビゲーション機能などを含むことができる。電子装置は、有線または無線によるデータ通信手段によって情報端末に接続され、両装置間において必要なデータが送受される。データ通信手段は、特に制限されるものではないが、例えばＵＳＢ(Universal Serial Bus)ケーブルによる接続、ブルートゥース（登録商標）等の近距離無線接続、無線ＬＡＮ、ＷｉＦｉなどを用いることができる。
【００１６】
好ましい態様では、電子装置は、情報端末と接続されたとき、情報端末を遠隔操作することができる動作モードを有する。情報端末は、遠隔操作により起動されたアプリケーションに関する音声データや画像データを電子装置へ送信し、電子装置は、受信した音声データを音声出力し、画像データを画面に表示する。
【実施例】
【００１７】
図３は、本発明の実施例に係る電子システムの構成を示す図である。本実施例の電子システム１００は、情報端末１１０と、情報端末１１０に接続手段１２０を介して接続された電子装置１３０とを含んで構成される。好ましくは、情報端末１１０として、通信機能を備えた多機能型のスマートフォンが用いられる。電子装置１３０は、例えば、テレビ受信機能、ＣＤやＤＶＤ等のメディア再生機能を備え、さらに車内空間にディスプレイやスピーカを備える。
【００１８】
本実施例では、接続手段１２０は、ＵＳＢケーブルを用いるが、これに加えてまたはこれに代えて、ブルーツース(登録商標)等の他の無線通信を用いてもよい。接続手段１２０は、情報端末１１０から電子装置１３０へ画像データを送信する信号線と、音声データを送信する信号線と、情報端末１１０と電子装置１３０間で制御データを送受する信号線とを含んでいる。情報端末１１０および電子装置１３０の各々は、画像データ、音声データおよび制御データを通信制御するための通信プロトコルをサポートし、電子装置１３０が情報端末１１０を遠隔操作することができるターミナルモードで動作することを可能にする。好ましくは、音声データは、ＲＴＰ（Real Time Protocol）により通信制御され、画像データは、ＲＦＢ（Remote Transport Protocol）を用いて通信制御される。
【００１９】
図４は、電子装置の典型的な構成を示すブロック図である。同図に示すように、電子装置１３０は、ユーザからの入力を受け取る入力部２００、接続手段１２０により情報端末１１０との接続を可能にする通信接続部２１０、ディスプレイに画像データを表示させる表示制御部２２０、スピーカから音声を出力させる音声出力部２３０、種々のメディアの再生等を実行するマルチメディア部２４０、制御部２５０、アプリケーション等を実行するための種々のプログラムを格納するプログラムメモリ２６０、音声データ、画像データ、道路地図データなどの種々のデータを記憶するデータメモリ２７０、各部を接続するバス２８０とを備えている。
【００２０】
マルチメディア部２４０は、ＣＤ、ＤＶＤ、ブルーレイディスク、メモリ媒体、データメモリ２７０などに記録された音声データや画像データを再生する機能、テレビ放送やラジオ放送を受信・再生する機能などを有する。プログラムメモリ２６０には、ナビゲーションに関するアプリケーションやマルチメディア部２４０を制御するプログラムに加え、情報端末１１０が接続されたときのターミナルモードを制御するプログラムなどが記憶される。プログラムメモリ２６０に格納されたプログラムやアプリケーションは、制御部２５０によって実行される。なお、電子装置１３０は、ナビゲーション動作に必要なＧＰＳ測位情報、車速情報、方位情報などを受け取ることができる。
【００２１】
さらにプログラムメモリ２６０は、ターミナルモードにおいて、情報端末１１０から
取得されたアイコンの画像データを表示するためのアイコン表示プログラムを備える。図５は、アイコン表示プログラム３００の機能ブロック図である。アイコン表示プログラム３００は、情報端末１１０から取得したアイコンの画像データのファイル形式を判別するファイル形式判別部３１０と、アイコンの画像データを透過処理することができない場合にはアイコンの画像データを表示するための台座を生成する台座生成部３２０と、台座に合わせてアイコンのサイズを調整するアイコンサイズ調整部３３０と、アイコンの画像データと台座の画像データとを合成する台座合成部３４０と、アイコンの画像データを透過処理することができる場合には当該画像データの非デザイン部分の透過処理を行う透過処理部３５０とを備える。アイコン表示プログラム３００によって加工、修正されたアイコンの画像データは、表示制御部２２０によりディスプレイ画面の所定の位置に描画される。
【００２２】
次に、電子装置１３０のターミナルモードへの移行を図６のフローチャートを参照して説明する。ターミナルモードは、電子装置１３０が情報端末１１０を遠隔操作し、かつ情報端末１１０から転送される音声データや画像データを出力することができる動作モードである。情報端末１１０が、例えばＵＳＢケーブルを介して電子装置１３０に接続されると（Ｓ１０１）、ＵＳＢプラグ・アンド・プレイにより相互に機器認識が行われる。次いで、電子装置１３０は、情報端末１１０に対し当該情報端末がターミナルモードをサポートしているか否かを問い合わせる（Ｓ１０２）。電子装置１３０は、情報端末１１０からターミナルモードに対応している旨の返信を受けると（Ｓ１０３）、ターミナルモードで動作を開始する（Ｓ１０４）。同時に、情報端末１１０もターミナルモードでの動作が可能になる。なお、ＵＳＢ接続が有効であるとき、情報端末１１０は、電子装置１３０からの電力供給を受けることができ、バッテリーの充電が可能となる。
【００２３】
ターミナルモードに移行されると、情報端末１１０の画面に表示されているアイコンの画像データが電子装置１３０へ転送され（Ｓ１０５）、転送されたアイコンの画像データが電子装置１３０の画面に表示される（Ｓ１０６）。電子装置１３０の画面に表示されたアイコン等をユーザがタッチすることで、その入力操作情報（座標情報）が情報端末１１０へ伝えられ、選択されたアイコンに関連するアプリケーション等が起動される。他のマウスやリモコンなどの入力インターフェースを用いて入力操作を行った場合も同様である。
【００２４】
次に、本実施例における、情報端末から取得したアイコンの表示動作の詳細について説明する。図７は、アイコン表示動作の主なフローを示している。まず、ターミナルモードの接続が確立すると、情報端末１１０からのアイコンの画像データが電子装置１３０において取得される（Ｓ２０１）。次に、ファイル形式判別部３１０は、アイコンの画像データを透過処理することができるか否かを判定する。ここでは、アイコンの画像データのファイルがＰＮＧ（Portable Network Graphics）形式であるとき、透過処理をすることができると判定し、それ以外のファイル形式、ビットマップ形式やＪＰＥＧ形式であるとき透過処理をすることができないと判定する（Ｓ２０２）。ファイル形式の識別には、ファイルの拡張子が利用される。
【００２５】
アイコンの画像データがＰＮＧ形式であるとき、すなわち透過処理をすることができると判定された場合には、透過処理部３４０は、図２（Ａ）で示したときのように、アイコン１０の背景部分１４が画面の背景色と一致するように透過処理を行う（Ｓ２０３）。次に、アイコンサイズ調整部３３０は、アイコンの画像データのデータサイズからアイコン１０の表示サイズを判定し、電子装置側のアイコンの表示サイズと比較して、その表示サイズを変更するべきか否かを判定する（Ｓ２０４）。但し、このような表示サイズの変更の判定は、必ずしも必須のステップではない。表示サイズの変更を要すると判定された場合は、アイコンサイズ調整部３３０によりアイコンの表示サイズが変更され（Ｓ２０５）、アイコンが画面に表示される（Ｓ２０６）。
【００２６】
他方、アイコンの画像データがＰＮＧ形式以外であるとき、すなわち透過処理をすることができないと判定された場合には、台座生成部３２０は、アイコンを表示するための台座を用意し（Ｓ２０７）、次いで、アイコンサイズ調整部３３０がアイコンの表示サイズを変更すべきか否かを判定する（Ｓ２０８）。アイコンサイズ調整部３３０は、後述するように、台座上にアイコンが合成されたとき台座に縁取りまたは枠体が形成されるようにアイコンの表示サイズを調整もしくは変更する（Ｓ２０９）。次に、台座合成部３４０は、アイコンの画像データと台座の画像データとを合成し（Ｓ２１０）、表示制御部２２０は、台座に合成されたアイコンを画面上に表示する（Ｓ２１１）。
【００２７】
次に、台座生成部３２０の詳細について説明する。台座生成部３２０は、図８（Ａ）に示すように、矩形状の２次元画像データである台座４００を生成する。台座４００の画像データは、透過処理をすることができないと判定されたタイミングで生成されるようにしてもよいし、予め台座の画像データをメモリ等に記憶しておき、透過処理をすることができないと判定されたときにメモリから画像データを読出すようにしてもよい。
【００２８】
好ましくは、台座４００は、縦Ｈ×幅Ｗの表示サイズを有し、台座４００の表示サイズは、好ましくは電子装置側のアイコンの表示サイズよりも幾分だけ大きく、言い換えれば、そのようなアイコンが台座に重ねあわされたと場合に、台座の縁取りが形成されるような大きさに設定される。あるいは、台座の表示サイズは、電子装置わがのアイコンの表示サイズとほぼ同程度であってもよい。また、電子装置側のアイコンが矩形状である場合には、台座４００の表示サイズは、そのようなアイコンと相似形に設定される。例えば、電子装置側のアイコンのアスペクト比と台座４００のアスペクト比（Ｗ：Ｈ）が等しくなるようにする。
【００２９】
台座４００の色は、電子装置１３０の画面の背景色とコントラストのある色に設定される。台座４００の色は、予め固定されたものでもよいし、可変することもできる。例えば、画面の背景色と台座４００の色との関係を予め規定したテーブルをメモリ等に保持しておき、台座４００を生成するとき、当該テーブルを参照して、画面の背景色に対応する台座４００の色を選択することができる。さらに、台座４００の色は、アイコンの画像データからデザインと関係のない背景部分の色情報を検出することができる場合には、当該背景部分とコントラストが生じる色に設定することができる。この場合にも、互いにコントラストの生じる色関係を予めテーブルに規定しておき、当該テーブルを参照することで台座４００の所望の色を選択することができる。
【００３０】
アイコンサイズ調整部３３０は、図８（Ｂ）に示すようなアイコン１０の画像データのデータサイズから、当該アイコンの表示サイズ（縦Ｈ１×幅Ｗ１）を判定する。但し、情報端末１１０からアイコンの表示サイズ情報を取得することができる場合には、当該サイズ情報から表示サイズ（縦Ｈ１×幅Ｗ１）を判定する。アイコンサイズ調整部３３０は、台座生成部３２０で生成された台座４００の表示サイズ（Ｈ×Ｗ）と、アイコン１０の表示サイズ（Ｈ１×Ｗ１）とを比較し、アイコン１０の表示サイズを変更すべきか否かを判定する。この判定基準は、図８（Ｃ）に示すように、アイコン１０を台座４００上に合成したときに、アイコン１０の周囲に一定の大きさの縁取り４１０が形成されるか否かである。縁取り４１０は、ΔＨ＝（Ｈ−Ｈ１）／２、ΔＷ＝（Ｗ−Ｗ１）／２で表され、アイコンサイズ調整部３３０は、例えば、ｈ１≦ΔＨ≦ｈ２、ｗ１≦ΔＷ≦ｗ２の関係を満足する場合には、アイコン１０の表示サイズの変更が不要と判定し、この範囲を逸脱する場合には、アイコン１０の表示サイズの変更が必要と判定し、その範囲内に収まるようにアイコン１０の表示サイズを変更する。なお、表示サイズの変更は、データを間引いたり、あるいはデータを補間する等の公知の手段を用いて行うことができる。
【００３１】
画像合成部３４０は、図８（Ｃ）に示すように、台座４００上にアイコン１０を合成し、これを表示制御部２２０へ提供する。これにより、アイコン１０は、台座４００を介して画面上に表示される。図９（Ａ）は、透過処理をすることができないアイコン１０を台座４００を介して表示した例を示している。アイコン１０は、枠状の縁取り４１０によって囲まれ、縁取り４１０は、他のアイコン２２〜３２よりも幾分大きな、あるいはそれらと同程度のサイズであり、かつ表示画面２０の背景色とコントラストを持って表示される。このため、図１（Ｂ）に示す従来のアイコンの表示と比べて、他のアイコン２２〜３２との違和感が軽減され、それらのアイコンとの統一感が増し、アイコン１０そのものの見栄えまたはデザイン性も向上する。
【００３２】
次に、本発明の第２の実施例について説明する。上記実施例では、情報端末１１０から取得したアイコンを透過処理することができない場合に、そのようなアイコンを台座を介して表示するようにしたが、第２の実施例では、図９（Ｂ）に示すように、電子装置側のアイコン２２〜３２を、アイコン１０と同様に台座４００を介して表示するようにしてもよい。こうすることで、電子装置側のアイコン２２〜３２と情報端末から取得したアイコン１０との統一感がより向上される。
【００３３】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００３４】
１０：アイコン                        １２：デザイン部分
１４：背景部分                        ２０：表示画面
２２〜３２：アイコン                  １００：電子システム
１１０：携帯型情報端末                １２０：接続手段
１３０：電子装置                      ３００：アイコン表示プログラム
３１０：ファイル形式判定部            ３２０：台座生成部
３３０：アイコンサイズ調整部          ３４０：台座合成部
３５０：透過処理部                    ４００：台座
４１０：縁取り
【図１】
0005825631.tif 000002
【図２】
0005825631.tif 000003
【図３】
0005825631.tif 000004
【図４】
0005825631.tif 000005
【図５】
0005825631.tif 000006
【図６】
0005825631.tif 000007
【図７】
0005825631.tif 000008
【図８】
0005825631.tif 000009
【図９】
0005825631.tif 000010